(57)【要約】【課題】優れた量子情報処理システム、量子回路システム、および量子情報処理方法を提供する。【解決手段】量子情報処理システムは、開口を有する導波路、導波路内に配設される非線形量子回路、および開口に結合される電磁制御信号源を含む。【選択図】図３
2016510497.tif 000002
【特許請求の範囲】
【請求項１】
量子情報処理システムであって、
開口を有する導波路と、
前記導波路内に配設される非線形量子回路と、
前記開口に結合される電磁場源と
を備えるシステム。
【請求項２】
ωｃ未満の周波数ωｓについて電磁波の伝播を前記導波路がサポートしないようなカットオフ周波数ωｃを前記導波路が含む、請求項１に記載のシステム。
【請求項３】
前記導波路内に配設される前記非線形量子回路が、エネルギ固有状態の個別のスペクトルを有する、請求項２に記載のシステム。
【請求項４】
前記導波路内に配設される前記量子回路の２つの最低位エネルギ固有状態が、ω０１＜ωｃであるように
【数１】
2016510497.tif 000003
だけエネルギが異なる、請求項３に記載のシステム。
【請求項５】
前記導波路が超伝導導波路である、請求項４に記載のシステム。
【請求項６】
前記量子回路がジョセフソン接合を含む、請求項５に記載のシステム。
【請求項７】
前記非線形量子回路が量子ビットおよびキュービットのうちの少なくとも１つを例示する、請求項６に記載のシステム。
【請求項８】
前記開口に印加される電磁場が、前記導波路内部にエバネッセント場を発生させる、請求項１に記載のシステム。
【請求項９】
前記エバネッセント場が前記非線形量子回路に制御信号を提供する、請求項８に記載のシステム。
【請求項１０】
前記電磁場源が、周波数ωｓ＜ωｃにおいて前記開口に信号を印加するように構成される、請求項２に記載のシステム。
【請求項１１】
前記電磁場源が、同軸の伝送線路を介して前記開口に結合される、請求項１に記載のシステム。
【請求項１２】
前記電磁場源が、導波路を介して前記開口に結合される、請求項１に記載のシステム。
【請求項１３】
量子回路システムであって、
開口を有する超伝導導波路と、
前記超伝導導波路に熱的に固定される希釈冷凍機と、
前記超伝導導波路内に配設される超伝導回路と、
前記開口に結合される電磁場源と
を備えるシステム。
【請求項１４】
ωｃ未満の周波数ωｓについて電磁波の伝播を前記導波路がサポートしないようなカットオフ周波数ωｃを前記超伝導導波路が含む、請求項１３に記載のシステム。
【請求項１５】
前記希釈冷凍機が、０．１度ケルビン未満の動作温度に前記導波路を固定する、請求項１４に記載のシステム。
【請求項１６】
前記導波路内に配設される前記超伝導回路が０．１度ケルビン未満の温度で動作させられる、請求項１５に記載のシステム。
【請求項１７】
前記超伝導回路が、エネルギ固有状態の個別のスペクトルを有する、請求項１６に記載のシステム。
【請求項１８】
前記導波路内に配設される前記量子回路の２つの最低位エネルギ固有状態が、ω０１＜ωｃであるように
【数２】
2016510497.tif 000004
だけエネルギが異なる、請求項１７に記載のシステム。
【請求項１９】
前記超伝導回路がジョセフソン接合を含む、請求項１８に記載のシステム。
【請求項２０】
前記超伝導回路が量子ビットおよびキュービットのうちの少なくとも１つを例示する、請求項１９に記載のシステム。
【請求項２１】
前記開口から反射される電磁信号が測定されて、前記キュービットの前記エネルギ固有状態の測定を行う、請求項２０に記載のシステム。
【請求項２２】
エバネッセント場が前記キュービットの前記状態を操作するための制御信号を提供する、請求項２０に記載のシステム。
【請求項２３】
量子情報処理システムであって、
エバネッセント導波路フィルタと、
前記エバネッセント導波路フィルタ内に配設される超伝導回路と、
前記エバネッセント導波路フィルタに結合される複数の開口と、
前記複数の開口に結合される電磁場源と
を備えるシステム。
【請求項２４】
量子情報処理システムであって、
超伝導エバネッセント導波路フィルタと、
前記超伝導エバネッセント導波路フィルタ内に配設される量子回路と、
前記エバネッセント導波路フィルタに結合される複数の開口と、
前記複数の開口に結合される複数の電磁場源と
を備えるシステム。
【請求項２５】
量子回路システムであって、
開口を有する超伝導導波路と、
前記超伝導導波路内に配設される非線形超伝導量子回路と、
前記開口に結合される電磁場源と
を備えるシステム。
【請求項２６】
量子情報処理方法であって、
開口を有する導波路内に非線形量子回路を配置するステップと、
前記開口に電磁場源を結合するステップと
を含む方法。
【請求項２７】
ωｃ未満の周波数ωｓについて電磁波の伝播を前記導波路がサポートしないようなカットオフ周波数ωｃを前記導波路が含む、請求項２６に記載の方法。
【請求項２８】
前記導波路内に配設される前記非線形量子回路が、エネルギ固有状態の個別のスペクトルを有する、請求項２７に記載の方法。
【請求項２９】
前記導波路内に配設される前記量子回路の２つの最低位エネルギ固有状態が、ω０１＜ωｃであるように
【数３】
2016510497.tif 000005
だけエネルギが異なる、請求項２８に記載の方法。
【請求項３０】
前記導波路が超伝導導波路である、請求項２９に記載の方法。
【請求項３１】
前記量子回路がジョセフソン接合を含む、請求項３０に記載の方法。
【請求項３２】
前記非線形量子回路が量子ビットおよびキュービットのうちの少なくとも１つを例示する、請求項３０に記載の方法。
【請求項３３】
前記開口に印加される電磁場が、前記導波路内部にエバネッセント場を発生させる、請求項２６に記載の方法。
【請求項３４】
前記エバネッセント場が前記非線形量子回路に制御信号を提供する、請求項３３に記載の方法。
【請求項３５】
前記電磁場源が、周波数ωｓ＜ωｃにおいて前記開口に信号を印加するように構成される、請求項２７に記載の方法。
【請求項３６】
前記電磁場源が、同軸の伝送線路を介して前記開口に結合される、請求項２６に記載の方法。
【請求項３７】
前記電磁場源が、導波路を介して前記開口に結合される、請求項２６に記載の方法。
【発明の詳細な説明】
【技術分野】
【０００１】
本発明は、量子情報処理への応用のための量子電子回路に関し、より詳細には、カットオフ超過導波路（ＷＢＣ）内に超伝導回路を組み込むことによって、そのようなデバイスを実装および動作させるためのシステムおよび方法に関する。
【背景技術】
【０００２】
量子情報処理のための電子量子回路は、電子量子回路の量子コヒーレンスが有用な長さの時間持続するが、それでも外の世界と相互作用することができ、そのため電子量子回路を制御および測定できるように、電磁（ＥＭ）環境から十分に分離されなければならない。超伝導量子回路デバイスに典型的に実現される物理的なサイズおよび結合強度は、分離よりも、外部環境との強い相互作用のほうを選好し、そのため、超伝導量子回路デバイスは、制御および測定が容易である傾向があるが、取り囲むＥＭ環境内での、抑制されない自由度から分離することが困難である。回路のハミルトニアンにおける対称性を利用すること、電荷および磁束に関する固有状態エネルギ・スペクトルを設計することなど、いくつかの方法が、対象となる量子自由度の分離の、達成可能な度合いを拡張するため、これまで開発されてきた。
【０００３】
遷移周波数ωを有する量子電子回路は、アドミッタンスＹ（ω）により記載される、次式の速度で、環境に対しエネルギを失う。
κｑ＝１／Ｔ１（ω）＝Ｒｅ［Ｙ（ω）］／Ｃｑ    式１
ここで、Ｙ（ω）は、周波数ωにおいて量子回路のモードによって見られるようなアドミッタンスであり、Ｔ１は、エネルギ減衰時間であり、Ｃｑは、モードの特性容量である。量子情報処理の用途での量子回路の設計および開発における１つの重要な目的は、この緩和速度の最小化である。これを行うための１つの道具は、非線形量子回路（キュービット）を線形共振器を介して環境に結合することと関係する。回路量子電磁力学、または回路ＱＥＤと呼ばれるこの手法は、過去１０年にわたって興隆してきて、超伝導量子回路の設計および動作の標準的なパラダイムとなった。環境インピーダンスのフィルタリング作用は、共振器周波数から十分に離れた周波数において、より長いコヒーレンスを容易にする。環境インピーダンスのフィルタリング作用は、より安定なデバイス動作も選好する。というのは、環境モードのゆらぎもフィルタリングされるからである。さらに、線形共振モードは、非線形回路の状態の射影量子測定を可能にする機構としての役割を果たす。
【０００４】
回路ＱＥＤ形状では、キュービットは、共振を外れて、またはパーセル効果緩和と呼ばれるプロセスである、共振器モードを介した分散性エネルギ緩和で、環境にエネルギを失う可能性が依然としてある。この効果により提示される、量子回路緩和速度への制限は、量子回路周波数および量子回路のエネルギ・レベル・スペクトルの非調和性の程度、（可能なスプリアスのより高次なモードを含む）共振器周波数、ならびにそれらの間の結合により設定される。
【０００５】
回路ＱＥＤでは、キュービット状態の測定は、キュービットと共振器の間の結合を利用することにより達成され、キュービットの励起は、空洞周波数のキュービット状態依存性の引張りを誘起する。ここで、空洞フォトン数のゆらぎがキュービット周波数を引っ張るという逆の効果が、エネルギ緩和により設定される２Ｔ１の制限以下にキュービット位相コヒーレンス時間Ｔ２を抑圧することが可能な、キュービットの位相緩和プロセスをもたらす。この、および他の純粋な位相緩和機構を最小化することが、超伝導量子回路の第２の設計目標である。
【発明の概要】
【発明が解決しようとする課題】
【０００６】
優れた量子情報処理システム、量子回路システム、および量子情報処理方法を提供する。
【課題を解決するための手段】
【０００７】
例示的な量子情報処理システムは、開口を有する導波路、導波路内に配設される非線形量子回路、および開口に結合される電磁制御信号源を含む。
【０００８】
さらなる例示的な実施形態は、開口を有する超伝導導波路、導波路に熱的に結合する希釈冷凍機、導波路内に配設される超伝導回路、および開口に結合される電磁場源を含む、量子回路システムを含む。
【０００９】
さらなる例示的な実施形態は、エバネッセント導波路フィルタ、エバネッセント導波路フィルタ内に配設される超伝導回路、導波路上の複数の開口、および開口に接続される電磁場源を含む、量子情報処理システムを含む。
【００１０】
さらなる例示的な実施形態は、超伝導エバネッセント導波路フィルタ、超伝導エバネッセント導波路フィルタ内に配設される量子回路、エバネッセント導波路フィルタに結合される複数の開口、および複数の開口に結合される複数の電磁場源を含む、量子情報処理システムを含む。
【００１１】
さらなる例示的な実施形態は、開口を有する超伝導導波路、超伝導導波路内に配設される非線形超伝導量子回路、および開口に結合される電磁場源を含む、量子回路システムを含む。
【００１２】
さらなる例示的な実施形態は、開口を有する導波路内に非線形量子回路を配置するステップ、および開口に電磁場源を結合するステップを含む、量子情報処理方法を含む。
【００１３】
さらなる特徴および利点が、本発明の技法を通して実現される。本発明の他の実施形態および態様は、本明細書に詳細に記載され、特許請求される発明の一部と考えられる。利点および特徴を備える本発明のより良好な理解のため、記載および図面を参照されたい。
【００１４】
本発明と考えられる主題は、本明細書の特許請求の範囲で、具体的に指摘され明確に特許請求される。上記および他の特徴、ならびに本発明の利点は、添付の図面に関連して理解される、以下の詳細な説明から明らかである。
【図面の簡単な説明】
【００１５】
【図１】例示的な量子回路システムを示す概略図である。
【図２】図１の量子回路システムの等価回路を示す概略図である。
【図３】例示的な実施形態にしたがって量子回路を動作させるための全体的な方法を示す図である。
【発明を実施するための形態】
【００１６】
例示的な実施形態では、本明細書に記載されるシステムおよび方法は、さもなければ空の、導波路伝送線路の内部容積内に、非線形量子回路を組み込む。導波路はカットオフ波長（周波数）によって特徴付けられ、カットオフ波長（周波数）の下（上）でＥＭ信号がガイドに沿って伝播することができるが、カットオフ波長（周波数）の上（下）でガイド内の場が消えていき、ガイドの伝播軸に沿った距離で指数関数的に減衰される。例示的な実施形態では、量子回路は、導波路のカットオフ周波数未満の周波数で動作する。次いで、エバネッセント・ガイドは、理想的なフィルタとしての役割を果たし、外部環境との相互作用を完全に除去する。エバネッセント・ガイドは、回路ＱＥＤのように、フォトンが誘起した位相緩和を介した位相緩和チャネルを追加することなく、理想的なフィルタとしての役割を果たす。
【００１７】
例示的な実施形態では、本明細書に記載されるシステムおよび方法は、位相緩和機構を除去し、エバネッセント・モードの導波路内に量子回路を組み込むことにより、パーセル効果を劇的に減少させる。カットオフ導波路のカットオフ周波数未満の周波数で、外部ＥＭ環境は、完全にフィルタリングされる。さらに、漂遊フォトンが占有または通過して位相緩和プロセスを発生させる量子回路に結合される補助的モードがない。
【００１８】
量子回路の制御および測定を実現するために、量子回路の場所に近い導波路の壁の開口を通してＥＭ信号が導入される。カットオフ未満の周波数で開口に印加される信号は、ガイドに沿って伝播せず、それでも量子回路に結合するエバネッセント場を生成する。
【００１９】
例示的な実施形態では、本明細書に記載されるシステムおよび方法は、カットオフ超過導波路構成で量子回路を実装し、カットオフ超過導波路構成は、いくつかの他の利点の中でもとりわけ、より遅い速度のエネルギ緩和およびデコヒーレンスを生成する。例示的な実施形態では、量子回路は、導波路カットオフ周波数（導波路が伝送する最も低い周波数）が量子回路の遷移周波数よりも大きいように横方向の寸法が選択される、導波路の部分内に組み込まれる。
【００２０】
量子回路は、標準的なリソグラフィの微細加工技法により生成することができる。導波路は、アルミニウム、銅、またはその合金などのバルク金属またはバルク超伝導体から機械加工により生成することができる。ＥＭ信号は、同軸のフィードラインにより開口に送達することができる。
【００２１】
図１は、例示的な量子回路システム１００の概略図を示す。量子回路システム１００は、量子回路を実装するＷＢＣの例示的な具現化である。例示的な実施形態では、量子回路システム１００は量子回路１１０を含み、量子回路１１０は、単一のジョセフソン接合１１２により中央で中断される、ワイヤにより分けられる２つの容量性パッド１１１を備える、トランスモン超伝導キュービットであってよい。この例では、量子回路１１０は、サファイアの基板１１３上にリソグラフィでパターン形成される。量子回路１１０は、カットオフ超過導波路１２０の部分内に固定され、同軸のフィードライン１３０を駆動することにより、カットオフ超過導波路１２０内に誘起されるエバネッセント場を通して制御される。
【００２２】
図２は、図１の量子回路システム１００の等価回路２００概略図を示す。量子回路１１０により見られるようなＷＢＣを記載する、直列インダクタンスＬｓ、および並列インダクタンスＬｐの値は、カットオフ超過導波路１２０の長さおよび寸法により決定される。容量Ｃｉ、Ｃｃは、同軸のフィードライン１３０の幾何形状、および外部発生源により駆動されるときの、同軸のフィードライン１３０がカットオフ超過導波路１２０内部に生成するエバネッセント場の形によって決定される。量子回路パラメータＣｑおよびＬｊは、量子回路１１０の幾何形状および製作パラメータにより決定される。そのため、等価回路２００がＷＢＣ設計のモデル化を可能にすることが理解されよう。例示的な実施形態では、導波路は、限定するものではないが、矩形、円形、楕円形、または任意の他の好適な形状を含む、任意の幾何学的断面を有することができる。
【００２３】
導波路のインピーダンスの実部が、ω＜ωｃでゼロであるので、キュービット内に貯蔵されるエネルギおよび情報は、環境に漏出できない。結果として、１次近似で、量子回路は、その環境から完全に減結合される。この考察は、回路ＱＥＤアーキテクチャと対照的である。回路ＱＥＤアーキテクチャでは、特定のキュービット共振器の離調におけるパーセル効果は、散逸的な環境が共振器によりどれだけ強くフィルタリングされるのかを共振器の品質要因が定めるので、共振器の品質要因に単に比例して抑圧される。さらに、量子回路１１０は、回路ＱＥＤのように共振器モードと強く結合しないので、空洞に誘起される位相緩和の基礎をなす物理的機構も除去される。量子回路１１０が中に配設されるカットオフ超過導波路１２０の部分は有限の長さであり、したがって原理的に共振モードを有することになるが、そのような共振は、カットオフ超過導波路１２０によりサポートされるそのモードおよび周波数に制限され、カットオフ周波数またはカットオフ周波数を超える周波数を持たなければならない。
【００２４】
ＷＢＣがモードのない環境を提供するので、本質的に簡単な幾何形状の導波路設計が、筐体の共振モードのフォトン数のゆらぎに起因するデコヒーレンスを同様になくす。
【００２５】
量子回路１１０の物理的な場所に近い、カットオフ超過導波路１２０の側壁１２１内の小さい開口１３１は、量子回路１１０に制御信号を送達するために実装される。開口１３１は、同軸のフィードライン１３０（例えば、同軸の伝送線路または同軸の伝送線路の中心導体）により貫通されてよい。他の例示的な実施形態では、開口１３１は、別の導波路への開口カップラとしての役割を果たすことができる。開口１３１から、カットオフ超過導波路１２０の壁内部に生成するエバネッセント場を通して、制御信号が量子回路１１０に結合される。例示的な実施形態では、カットオフ超過導波路１２０は、複数の開口を含むことができる。
【００２６】
依然として図１および図２を参照して、量子回路システム１００の特定の物理的な具現化として構造がここで記載される。多くの他のタイプの物理的な具現化が、他の例示的な実施形態で企図されることが理解されよう。例では、量子回路１１０は、（超伝導）アルミニウム合金６０６１から機械加工された導波路（すなわち、カットオフ超過導波路１２０）の１２センチメートル（ｃｍ）部分内に組み込まれた、単一接合トランスモン・タイプの超伝導量子回路（薄膜アルミニウム・オン・サファイアまたはシリコンの基板１１３上にパターン形成され、その中点で単一のジョセフソン接合１１２で中断されるダイポール・アンテナすなわち容量性パッド１１１）である。カットオフ超過導波路１２０の横方向の内部寸法は、４ｍｍ×７ｍｍであり、カットオフ超過導波路１２０は、ｆ＿ｃ＝２１．４ＧＨｚのカットオフ周波数を有する。量子回路１１０は、８〜１０ＧＨｚの範囲の動作周波数を有する。カットオフ超過導波路１２０の広い壁（すなわち側壁１２１）は、外側導体が側壁１２１と良好に接触する、２．１８４４ｍｍ（０．０８６インチ）の外径の同軸ケーブル（すなわち、同軸のフィードライン１３０）により貫通される。中心導体は、カットオフ超過導波路１２０内に突き出る。全カットオフ超過導波路１２０は、１０ｍＫの温度または１０ｍＫの温度近くにおける試験および特性化のため、希釈冷凍機上に配置することができる。
【００２７】
ωｃ未満の任意の周波数で振動するＥＭ場を伝播することは、カットオフ超過導波路１２０によってサポートされず、そのような場は、カットオフ超過導波路１２０の長手軸１０１に沿って指数関数的に減衰される。図２の等価回路２００を再び参照すると、例のカットオフ超過導波路１２０の１２ｃｍ部分は、純粋に誘導的なπセクション・フィルタとしての役割を果たし、有効直列インダクタンスＬｓは、モデル化されるカットオフ超過導波路１２０の部分の物理的長さとともに指数関数的に増加する。
【００２８】
カットオフ超過導波路１２０を実装することにより、量子回路１１０（例えば、キュービット）は、１次近似で、量子回路１１０のエネルギをカットオフ超過導波路１２０の外部の環境に解放する手段がない（すなわち、量子回路１１０により見られる、アドミッタンスＹの実部が０である）。加えて、量子回路１１０は、この構成でカットオフ超過導波路１２０の共振器モードに明示的には結合せず、このことが回路ＱＥＤに存在する既知の位相緩和機構を止める助けをする。図１では、カットオフ超過導波路１２０内に同軸のフィードライン１３０を導入することにより、量子回路１１０が、量子回路１１０のエネルギを同軸のフィードライン１３０に解放することができる。同軸のフィードライン１３０と量子回路１１０の間の結合は、ますます小さくすることができ、そのため、同軸のフィードライン１３０を介するエネルギ損失を無視できるほどに小さくし、一方依然として、外部で生成された制御信号を量子回路に十分な強度で結合して、量子回路の固有状態間の遷移を誘起することができる。
【００２９】
例示的な実施形態では、量子回路１１０は、ω＞ωｃにおいて、マルチトーン信号をガイドに対し適用することによって制御することができ、ここで、トーン間の周波数の差は、２次誘導ラマン遷移を介して遷移を誘起するように選択される。このプロセスでは、量子回路１１０は、２つの周波数ω１およびω２で同時に駆動される。両方の周波数は、導波路のカットオフ周波数超であり、｜ω１−ω２｜〜ωｑを満たし、ここで、ωｑは、量子回路１１０の遷移周波数である。
【００３０】
カットオフ未満の単一のトーンまたはカットオフ超の複数のトーンを使用して、量子回路１１０の状態の測定を実現することができる。特に、（周波数ω０３で）０→３の遷移に調整された駆動信号への応答を観察することにより、量子回路の状態を確認することが可能である。キュービットが基底状態０である場合のみ、システムは、駆動される循環遷移を受ける。量子回路１１０のこの遷移は、ωｃ超またはωｃ未満であってよい。
【００３１】
あるいは、開口が量子回路に近い場合、ω１２＜ωｒ＜ω０１またはω１２＞ωｒ＞ω０１であるような周波数ωｒで、開口から反射される信号の位相を観察すると、キュービットの状態についての情報が含まれることになる。
【００３２】
図３は、例示的な実施形態にしたがって量子回路を動作させるための全体的な方法３００を示す。ブロック３１０において、量子回路は、量子回路の動作周波数ω０１に基づいて選択される。周波数は、従来型のｃＱＥＤ技法および３Ｄマイクロ波空洞を直接使用してデバイスを測定することにより事前に確立される、または、通常状態で、可能ならば室温でデバイスの特性を測定すること、もしくはデバイスの周波数ω０１を決定することにより推測される。ブロック３２０において、次いで、量子回路（例えば、量子回路１１０）は、カットオフ超過導波路１２０内に配置される。本明細書に記載されるように、量子回路の動作周波数ｆ０１よりもカットオフ周波数が著しく大きいように、導波路が寸法決定される。そのため、ブロック３２０において、量子回路の動作周波数は、導波路のカットオフ周波数より十分低く選択される。ブロック３３０において、制御信号のシーケンスは、周波数ω１とω２の和がカットオフ周波数よりも大きく、ｆ１とｆ２の差がω０１に近いまたはω０１に等しいような、周波数ω１およびω２で設計される。ω１およびω２において制御信号の適切な継続期間および振幅を選択することにより、量子回路の状態を操作することができる。ブロック３４０において、このシーケンスを続けて適用し、量子回路の状態を操作する。ブロック３５０において、量子回路の状態は、周波数ｆ０３で制御信号を印加して、この信号の伝送を導波路を通して検出することにより測定される。量子回路の状態に応じて、伝送された信号は、位相または振幅あるいはその両方で変調される。ブロック３６０において、全ての測定が完了したかどうか決定される。全ての測定がブロック３６０で完了した場合、方法３００は、ブロック３３０に続く。測定結果に基づいて、制御シーケンスの新シーケンスが設計されて、異なる動作を実現することができる。ブロック３６０において、１度測定が完了し、全ての測定値が取られると、方法は停止する。
【００３３】
本明細書において使用する用語は、特定の実施形態を記載することのみを目的としており、本発明を限定することを意図していない。本明細書において使用するとき、文脈上の明確な別段の指示がない限り、単数形「ａ」「ａｎ」および「ｔｈｅ」は、複数形を同様に含むことを意図している。本明細書において使用するとき、用語「備える、含む（ｃｏｍｐｒｉｓｅｓ）」または「備えている、含んでいる（ｃｏｍｐｒｉｓｉｎｇ）」あるいはその両方は、述べた特徴、整数、ステップ、動作、要素、または構成要素あるいはこれらの組合せが存在することを明示するが、１つまたは複数の他の特徴、整数、ステップ、動作、要素、構成要素、またはそのグループあるいはこれらの組合せの存在または追加を排除しないことをさらに理解されたい。
【００３４】
請求項内の全てのミーンズ・プラス・ファンクション要素またはステップ・プラス・ファンクション要素の対応する構造、材料、働き、および均等物は、他の特許請求される要素と組み合わせて、具体的に特許請求されるものとして、機能を実施するため、任意の構造、材料、または働きを含むことが意図される。本発明の記載は、説明および記載のために提示されたが、網羅的であること、または、開示された形式での発明に限定することを意図していない。本発明の範囲および思想から逸脱することなく、多くの変更形態および変形形態が、当業者には明らかであろう。様々な変更形態を備える様々な実施形態が意図された具体的な使用に適するので、実施形態は、本発明の原理および実践的な適用を最も良く説明するため、および他の当業者が本発明を理解することが可能となるために、選択され記載された。
【００３５】
本明細書に描かれた流れ図は、ほんの１つの例である。本発明の思想から逸脱することなく、こうした図面またはそこに記載されたステップ（または動作）には、多くの変形形態が存在する可能性がある。例えば、ステップは、異なる順序で実施することができ、またはステップは、追加、削除、または変更することができる。これらの変形形態の全ては、特許請求される発明の一部と考えられる。
【００３６】
本発明の好ましい実施形態が記載されてきたが、当業者なら、現在および将来の両方において、添付の特許請求の範囲に含まれる様々な改良および拡張を行うことができることを理解されよう。これらの請求項は、最初に記載した本発明に対して、適切に保護し続けるとみなされるべきである。
【図１】
2016510497.tif 000006
【図２】
2016510497.tif 000007
【図３】
2016510497.tif 000008
【国際調査報告】
2016510497.tif 000009